(57)【要約】    【課題】子機及び親機の間を接続する伝送路の省線化及び当該親機の小型化を可能にする。    【解決手段】カメラ１０を有する少なくとも１台の子機１ａ、１ｂ、１ｃ、１ｄ、１ｅ、１ｆ及びモニタ２０、３０を有する少なくとも１台の親機２、３の間を接続する伝送路Ｌ1a、Ｌ1b、Ｌ2の線路上のタイムスロットに組み込んで間引き処理が行われた映像信号を伝送させる。また、親機では、映像信号が組み込まれたタイムスロットを振り分け、フレームが組み立てられた映像信号を同時保存する。  【選択図】図１
2008147848.tif 000002
【特許請求の範囲】
【請求項１】
玄関に設置され、カメラ（１０）を有する少なくとも１台の子機（１ａ、１ｂ、１ｃ、１ｄ、１ｅ、１ｆ）と、住戸内に設置され、伝送路（Ｌ1a、Ｌ1b、Ｌ2）を経由して接続される前記子機のカメラにて撮像された映像を出画するためのモニタ（２０、３０）を有する少なくとも１台の親機（２、３）とで構成され、
前記子機は、前記カメラにて撮像された映像信号のフレームレートの切り替えを行い間引き処理するための映像処理回路（１１）と、前記映像処理回路を経由して間引き処理された映像信号を前記伝送路の線路上のタイムスロットに組み込み送出するためのタイムスロット選定回路（１３）と、前記映像処理回路及び前記タイムスロット選定回路をそれぞれ制御するための子機制御部（１４、１５、１６）とを備え、
前記親機は、前記子機のカメラにて撮像され前記伝送路を経由して伝送されてくる映像信号が組み込まれたタイムスロットを振り分けるためのスロット振分回路（２１、３１）と、前記スロット振分回路を経由して振り分けられた映像信号を一時的に同時保存し、前記同時保存された映像信号のフレームを組み立てるためのフレーム組立回路（２２ａ、３２ａ）を有する第１のメモリ（２２、３２）と、前記第１のメモリのフレーム組立回路を経由してフレームが組み立てられた映像信号を同時保存するための第２のメモリ（２３、３３）と、前記第１のメモリを制御するための親機制御部（２４、３４）とを備えたことを特徴とするテレビドアホン装置。
【発明の詳細な説明】
【技術分野】
【０００１】
本発明はテレビドアホン装置に係り、特に、子機のカメラにて撮像される映像の親機への信号伝送技術及び当該親機への保存技術を備えたテレビドアホン装置に関する。
【背景技術】
【０００２】
従来から、この種のテレビドアホン装置として、例えば、図５のブロック図に示す構成のテレビドアホン装置が知られている。
【０００３】
図５に示すテレビドアホン装置には、玄関に設置され、カメラ１１０を有する少なくとも１台の子機、ここでは、４台の子機（以下、第１乃至第４の各子機という。）１０１ａ、１０１ｂ、１０１ｃ、１０１ｄと、住戸内に設置される少なくとも２台の親機、ここでは、１台の親機１０２及び１台の増設親機１０３とで構成されている。また、第１乃至第４の各子機１０１ａ、１０１ｂ、１０１ｃ、１０１ｄ及び親機１０２の間はそれぞれ、個別の伝送路（以下、第１乃至第４の各子機／親機ラインという。）Ｌ101a、Ｌ101b、Ｌ101c、Ｌ101dを経由して接続されている。さらに、親機１０２及び増設親機１０３の間は、伝送路（以下、親機／増設親機ラインという。）Ｌ102を経由して接続されている。
【０００４】
親機１０２には、第１、第２の各スイッチ回路１２０、１２１、同期回路１２２、メモリ１２３及び制御回路１２４が備えられている。ここで、第１のスイッチ回路１２０は、第１乃至第４の各子機１０１ａ、１０１ｂ、１０１ｃ、１０１ｄのカメラ１１０にてそれぞれ撮像され、第１乃至第４の各子機／親機ラインＬ101a、Ｌ101b、Ｌ101c、Ｌ101dを経由して伝送されてくる複数の映像信号のうち何れか１の当該映像信号のみを選択し、同期回路１２２に送出するためのものである。また、第２のスイッチ回路１２１は、第１のスイッチ回路１２０と同様、前述の複数の映像信号のうち何れか１の当該映像信号のみを選択し、親機／増設親機ラインＬ102を経由して増設親機１０３に送出するためのものである。また、同期回路１２２は、第１のスイッチ回路１２０を経由して選択された映像信号についてキャプチャを行う、すなわち、デジタルデータに信号処理するためのものであり、メモリ１２３は、同期回路１２２を経由してキャプチャが行われた映像信号を保存するための例えば、ＲＡＭ、ＥＥＰＲＯＭ等の各種の記憶媒体で構成されている。さらに、制御回路１２４は、第１、第２の各スイッチ回路１２０、１２１、同期回路１２２及びメモリ１２３をそれぞれ制御するためのものである。
【０００５】
このように構成された従来例のテレビドアホン装置において、第１乃至第４の各子機１０１ａ、１０１ｂ、１０１ｃ、１０１ｄのカメラ１１０にてそれぞれ撮像された映像であり電気信号に信号処理された複数の映像信号は、第１乃至第４の各子機／親機ラインＬ101a、Ｌ101b、Ｌ101c、Ｌ101dを経由して親機１０２の第１、第２の各スイッチ回路１２０、１２１に伝送される。
【０００６】
ここで、親機１０２の第１、第２の各スイッチ回路１２０、１２１はそれぞれ、第１乃至第４の各子機／親機ラインＬ101a、Ｌ101b、Ｌ101c、Ｌ101dを経由して伝送されてくる複数の映像信号のうち何れか１の当該映像信号のみを選択するように、制御回路１２４の指示に従って切り替えられるため、メモリ１２３には、第１のスイッチ回路１２０を経由して選択された映像信号について同期回路１２２を介しキャプチャが行われたデジタルデータ、すなわち、第１乃至第４の各子機１０１ａ、１０１ｂ、１０１ｃ、１０１ｄのカメラ１１０にてそれぞれ撮像された映像のうち何れか１の映像信号であるデジタルデータのみが保存されることになる。
【０００７】
また、増設親機１０３には、親機１０２の第２のスイッチ回路１２１を経由して選択され、親機／増設親機ラインＬ102を介して伝送されてくる映像信号、すなわち、第１乃至第４の各子機１０１ａ、１０１ｂ、１０１ｃ、１０１ｄのカメラ１１０にてそれぞれ撮像された映像のうち何れか１の当該映像のみが出画されることになる。
【０００８】
なお、従来例のテレビドアホン装置としては、図５に示すテレビドアホン装置のみならず、カメラ付玄関子機及びカメラ無玄関子機が混在するテレビインターホン装置において、当該玄関子機の識別を行い適切な呼び出しが可能なテレビインターホン装置が開示されている（例えば、特許文献１を参照。）。
【０００９】
【特許文献１】特開平９−１５４１２８号公報（例えば、段落番号「００２０」、第１図）
【発明の開示】
【発明が解決しようとする課題】
【００１０】
従来例のテレビドアホン装置によれば、親機１０２の制御回路１２４の指示に従って第１、第２の各スイッチ回路１２０、１２１が切り替えられ、第１乃至第４の各子機１０１ａ、１０１ｂ、１０１ｃ、１０１ｄから第１乃至第４の各子機／親機ラインＬ101a、Ｌ101b、Ｌ101c、Ｌ101dを経由して伝送されてくる複数の映像信号のうち何れか１の当該映像信号のみが選択されるため、第１、第２の各スイッチ回路１２０、１２１が切り替わるまでの所定の時間（以下、切替時間という。）内にキャプチャが行われた映像信号であるデジタルデータをメモリ１２３に保存することができる。しかしながら、子機１０１ａ、１０１ｂ、１０１ｃ、１０１ｄの台数を増やす場合には、前述の切替時間を高速にする必要性があるばかりでなく、キャプチャを行うための同期時間を短くする場合には、高度な技術が必要であった。
【００１１】
また、従来例のテレビドアホン装置において、第１乃至第４の各子機１０１ａ、１０１ｂ、１０１ｃ、１０１ｄのカメラ１１０の相互間は、通常、同期がとられておらず、親機１０２の制御回路１２４が高速に切り替えられた場合でも同期が合うまでには所定の時間を必要となるため、子機１０１ａ、１０１ｂ、１０１ｃ、１０１ｄの台数を増やすには限界があった。例えば、１秒毎に１枚の映像信号が親機１０２のメモリ１２３に保存されると仮定して、前述の切替時間に２００ｍ／ｓを要した場合、メモリ１２３に同時保存可能な当該子機の台数は最大５台となり、それ以上の子機を設けることができなかった。
【００１２】
また、従来例のテレビドアホン装置において、第１乃至第４の各子機１０１ａ、１０１ｂ、１０１ｃ、１０１ｄを増設するように当該子機の台数を増やすにあたっては、子機／親機ラインＬ101a、Ｌ101b、Ｌ101c、Ｌ101dの配線数も多くなり、親機１０２本体を大きくせねばならなかった。
【００１３】
さらに、従来例のテレビドアホン装置において、第１乃至第４の各子機１０１ａ、１０１ｂ、１０１ｃ、１０１ｄから第１乃至第４の各子機／親機ラインＬ101a、Ｌ101b、Ｌ101c、Ｌ101dを経由して伝送されてくる複数の映像信号のうち何れか１の当該映像信号のみを選択するにあたっては、親機１０２の第１、第２の各スイッチ回路１２０、１２１を使用しているため、親機１０２以外の機器、例えば、増設親機１０３では、複数の各子機１０１ａ、１０１ｂ、１０１ｃ、１０１ｄのカメラ１１０にて撮像された映像を同時に保存することができなかった。
【００１４】
本発明は、この難点を解消するためになされたもので、少なくとも１台の子機が有するカメラにて撮像された映像を少なくとも１台の親機に同時保存することにより、子機及び親機の間を接続する伝送路の省線化及び当該親機の小型化が可能なテレビドアホン装置を提供することを目的としている。
【課題を解決するための手段】
【００１５】
前述の目的を達成するため、本発明のテレビドアホン装置は、玄関に設置され、カメラを有する少なくとも１台の子機と、住戸内に設置され、伝送路を経由して接続される子機のカメラにて撮像された映像を出画するためのモニタを有する少なくとも１台の親機とを備えたものである。子機は、カメラにて撮像された映像信号のフレームレートの切り替えを行い間引き処理するための映像処理回路と、映像処理回路を経由して間引き処理された映像信号を伝送路の線路上のタイムスロットに組み込み送出するためのタイムスロット選定回路と、映像処理回路及びタイムスロット選定回路をそれぞれ制御するための子機制御部とを備えたものである。親機は、少なくとも１台の子機のカメラにて撮像され伝送路を経由して伝送されてくる映像信号が組み込まれたタイムスロットを振り分けるためのスロット振分回路と、スロット振分回路を経由して振り分けられた映像信号を一時的に同時保存し、同時保存された映像信号のフレームを組み立てるためのフレーム組立回路を有する第１のメモリと、第１のメモリのフレーム組立回路を経由してフレームが組み立てられた映像信号を同時保存するための第２のメモリと、第１のメモリを制御するための親機制御部とを備えたものである。
【発明の効果】
【００１６】
本発明のテレビドアホン装置によれば、カメラを有する少なくとも１台の子機及びモニタを有する少なくとも１台の親機の間を接続する伝送路の線路上のタイムスロットに組み込んで間引き処理が行われた映像信号を伝送させることができる。また、親機では、映像信号が組み込まれたタイムスロットを振り分け、フレームが組み立てられた映像信号を同時保存することができる。これにより、少なくとも１台の子機が有するカメラにて撮像された映像を少なくとも１台の親機に同時保存することができるため、伝送路の配線数を増さずとも当該子機の増設が容易となることから、配線の省線化及び親機の小型化が可能となる。
【発明を実施するための最良の形態】
【００１７】
以下、本発明のテレビドアホン装置を適用した最良の実施の形態例について、図面を参照して説明する。
【００１８】
図１は、本発明の実施例によるテレビドアホン装置の全体構成を示すシステム説明図である。このテレビドアホン装置には、玄関に設置される少なくとも１台の子機、ここでは、６台の子機（以下、第１乃至第６の各子機という。）１ａ、１ｂ、１ｃ、１ｄ、１ｅ、１ｆと、住戸内に設置される少なくとも２台の親機、ここでは、１台の親機２及び１台の増設親機３とで構成されている。
【００１９】
また、第１乃至第６の各子機１ａ、１ｂ、１ｃ、１ｄ、１ｅ、１ｆのうち、第１乃至第４の各子機１ａ、１ｂ、１ｃ、１ｄ及び親機２の間はそれぞれ、伝送路(以下、第１の子機／親機ラインという。)Ｌ1aを経由して接続（スター接続）されている。また、第５、第６の各子機１ｅ、１ｆ及び親機２の間はそれぞれ、前述の第１の子機／親機ラインＬ1aとは異なる別途の伝送路(以下、第２の子機／親機ラインという。)Ｌ1bを経由して接続（スター接続）されている。さらに、親機２及び増設親機３の間は、伝送路（以下、親機／増設親機ラインという。）Ｌ2を経由して接続されている。
【００２０】
図１において、第１乃至第６の各子機１ａ、１ｂ、１ｃ、１ｄ、１ｅ、１ｆはそれぞれ同様な構成であり、玄関に居る人物、例えば、来訪者の映像や当該玄関の周囲近傍の映像を撮像するためのカメラ１０を有している。このカメラ１０としては、例えば、ＣＣＤ、ＣＭＯＳ等の各種の撮像素子が好適とされる。
【００２１】
また、第１乃至第６の各子機１ａ、１ｂ、１ｃ、１ｄ、１ｅ、１ｆはそれぞれ、映像撮像機能を構成する前述のカメラ１０の他に、通常、カメラ１０にて撮像された映像を信号処理する映像処理機能（後述する図２を参照。）を有している。
【００２２】
なお、第１乃至第６の各子機１ａ、１ｂ、１ｃ、１ｄ、１ｅ、１ｆにはそれぞれ、来訪者が住戸内に在室中の居住者を呼び出すための呼出機能（図示及び詳述せず。）と、来訪者が居住者との間で通話を成立させるための通話機能（図示及び詳述せず。）とを備えることもできる。
【００２３】
親機２及び増設親機３はそれぞれ、第１乃至第６の各子機１ａ、１ｂ、１ｃ、１ｄ、１ｅ、１ｆのカメラ１０にて撮像された映像を出画するためのモニタ（以下、親機モニタ、増設親機モニタという。）２０、３０を有している。これら各モニタ２０、３０としては、例えば、ＬＣＤ、ＰＤＰ、有機ＥＬディスプレイ等の各種の表示媒体が好適とされる。
【００２４】
また、親機２及び増設親機３はそれぞれ、映像出画機能を構成する前述の親機モニタ２０、増設親機モニタ３０の他に、通常、各モニタ２０、３０に出画させる映像を信号処理して保存する映像処理／保存機能（後述する図３（ａ）、（ｂ）を参照。）を有している。
【００２５】
なお、親機２には、来訪者からの呼び出し又は増設親機３の使用者である別途の居住者からの内線呼び出しを報知するための呼出報知機能（図示及び詳述せず。）と、当該親機の使用者である居住者が来訪者又は別途の居住者との間で通話を成立させるための通話機能（図示及び詳述せず。）と、当該親機の使用者である居住者が来訪者からの呼び出し又は別途の居住者からの内線呼び出しに応答するための呼出応答機能（図示及び詳述せず。）と、当該親機の使用者である居住者が別途の居住者を呼び出すための内線呼出機能（図示及び詳述せず。）とを備えることもできる。
【００２６】
また、増設親機３には、来訪者からの呼び出し又は親機２の使用者である別途の居住者からの内線呼び出しを報知するための呼出報知機能（図示及び詳述せず。）と、当該増設親機の使用者である居住者が来訪者又は別途の居住者との間で通話を成立させるための通話機能（図示及び詳述せず。）と、当該増設親機の使用者である居住者が来訪者からの呼び出し又は別途の居住者からの内線呼び出しに応答するための呼出応答機能（図示及び詳述せず。）と、当該増設親機の使用者である居住者が別途の居住者を呼び出すための内線呼出機能（図示及び詳述せず。）とを備えることもできる。
【００２７】
図２は、本発明の実施例によるテレビドアホン装置において、第１乃至第６の各子機１ａ、１ｂ、１ｃ、１ｄ、１ｅ、１ｆが有する映像撮像機能及び映像処理機能の具体的な構成を示すブロック図である。
【００２８】
図２に示す第１乃至第６の各子機１ａ、１ｂ、１ｃ、１ｄ、１ｅ、１ｆには、前述のカメラ１０と、映像処理回路１１と、メモリ（以下、子機メモリという。）１２と、タイムスロット選定回路１３と、子機制御部を構成する映像切替制御回路１４、スロット切替制御回路１５及び子機制御回路１６と、インターフェース（以下、子機Ｉ／Ｆという。）１７とが備えられている。
【００２９】
第１乃至第６の各子機１ａ、１ｂ、１ｃ、１ｄ、１ｅ、１ｆにおいて、映像処理回路１１は、カメラ１０にて撮像された映像であり電気信号に信号処理された映像信号のフレームレートの切り替えを行い間引き処理するためのものであり、映像切替制御回路１４は、映像処理回路１１の動作（切替動作）を制御するためのものである。
【００３０】
子機メモリ１２は、映像処理回路１１を経由して間引き処理された映像信号を一時的に保存するためのものである。この子機メモリ１２としては、例えば、ＲＡＭ、ＥＥＰＲＯＭ等の各種の記憶媒体（バッファメモリ）が好適とされる。
【００３１】
タイムスロット選定回路１３は、映像処理回路１１を経由して間引き処理された後、子機メモリ１２から読み出される映像信号を、第１、第２の各子機／親機ラインＬ1a、Ｌ1bの線路上のタイムスロットに組み込み送出するためのものであり、スロット切替制御回路１５は、タイムスロット選定回路１３の動作（切替動作）を制御するためのものである。
【００３２】
子機制御回路１６は、当該子機の構成各部／回路をそれぞれ制御するためのものである。具体的な制御として、子機制御回路１６は、カメラ１０を駆動させて撮像可能な状態に制御することができる。また、子機制御回路１６は、子機メモリ１２の保存／読出の動作タイミング、映像切替制御回路１４の動作タイミング及びスロット切替制御回路１５の動作タイミングをそれぞれ指示することができる。
【００３３】
子機Ｉ／Ｆ１７は、タイムスロット選定回路１３から第１、第２の各子機／親機ラインＬ1a、Ｌ1bへの信号伝送路を形成するためのものである。
【００３４】
図３（ａ）、（ｂ）はそれぞれ、本発明の実施例によるテレビドアホン装置において、親機２が有する映像撮像機能及び映像処理／保存機能の具体的な構成を示すブロック図、増設親機３が有する映像撮像機能及び映像処理／保存機能の具体的な構成を示すブロック図である。
【００３５】
図３（ａ）に示す親機２には、前述の親機モニタ２０と、スロット振分回路（以下、親機スロット振分回路という。）２１と、２つのメモリ（以下、第１、第２の各親機メモリという。）２２、２３と、親機制御部２４と、２つのインターフェース（以下、子機側親機Ｉ／Ｆ、増設側親機Ｉ／Ｆという。）２５、２６とが備えられている。
【００３６】
この親機２において、親機スロット振分回路２１は、第１乃至第６の子機１ａ、１ｂ、１ｃ、１ｄ、１ｅ、１ｆのカメラ１０にて撮像され、第１、第２の各子機／親機ラインＬ1a、Ｌ1bのうち何れか１のライン、子機側親機Ｉ／Ｆ２５を経由して伝送されてくる映像信号が組み込まれたタイムスロットを振り分けるためのものである。
【００３７】
第１の親機メモリ２２は、親機スロット振分回路２１を経由して振り分けられた映像信号を一時的に同時保存するためのものであり、同時保存された当該映像信号のフレームを組み立てるためのフレーム組立回路（以下、親機フレーム組立回路という。）２２ａを有している。また、第２の親機メモリ２３は、第１の親機メモリ２２の親機フレーム組立回路２２ａを経由してフレームが組み立てられた（複数の）映像信号を同時保存するためのものである。これら各メモリ２２、２３としてはそれぞれ、例えば、ＲＡＭ、ＥＥＰＲＯＭ等の各種の記憶媒体（バッファメモリ）が好適とされる。
【００３８】
親機制御部２４は、当該親機の構成各部／回路をそれぞれ制御するためのものである。具体的な制御として、親機制御部２４は、親機モニタ２０を駆動させて出画可能な状態に制御することができる。また、親機制御部２４は、親機スロット振分回路２１の動作タイミング、第１、第２の各親機メモリ２２、２３の保存／読出の動作タイミング、第１の親機メモリ２２の親機フレーム組立回路２２ａの動作タイミングをそれぞれ指示することができる。
【００３９】
子機側親機Ｉ／Ｆ２５は、第１、第２の各子機／親機ラインＬ1a、Ｌ1bから親機スロット振分回路２１及び増設側親機Ｉ／Ｆ２６への信号伝送路をそれぞれ形成するためのものである。また、増設側親機Ｉ／Ｆ２６は、子機側親機Ｉ／Ｆ２５から親機／増設親機ラインＬ2への信号伝送路を形成するためのものである。
【００４０】
図３（ｂ）に示す増設親機３には、前述の増設親機モニタ３０と、スロット振分回路（以下、増設親機スロット振分回路という。）３１と、２つのメモリ（以下、第１、第２の各増設親機メモリという。）３２、３３と、増設親機制御部３４と、２つのインターフェース（以下、親機側増設親機Ｉ／Ｆ、増設側増設親機Ｉ／Ｆという。）３５、３６とが備えられている。
【００４１】
この増設親機３において、増設親機スロット振分回路３１は、第１乃至第６の各子機１ａ、１ｂ、１ｃ、１ｄ、１ｅ、１ｆのカメラ１０にて撮像され、第１、第２の各子機／親機ラインＬ1a、Ｌ1bのうち何れか１の当該ライン、親機２の子機側親機Ｉ／Ｆ２５及び増設側親機Ｉ／Ｆ２６、親機／増設親機ラインＬ2、親機側増設親機Ｉ／Ｆ３５を経由して伝送されてくる映像信号が組み込まれたタイムスロットを振り分けるためのものである。
【００４２】
第１の増設親機メモリ３２は、増設親機スロット振分回路３１を経由して振り分けられた映像信号を一時的に同時保存するためのものであり、同時保存された当該映像信号のフレームを組み立てるためのフレーム組立回路（以下、増設親機フレーム組立回路という。）３２ａを有している。また、第２の増設親機メモリ３３は、第１の増設親機メモリ３２の増設親機フレーム組立回路３２ａを経由してフレームが組み立てられた（複数の）映像信号を同時保存するためのものである。これら各メモリ３２、３３としてはそれぞれ、例えば、ＲＡＭ、ＥＥＰＲＯＭ等の各種の記憶媒体（バッファメモリ）が好適とされる。
【００４３】
増設親機制御部３４は、当該増設親機の構成各部／回路をそれぞれ制御するためのものである。具体的な制御として、増設親機制御部３４は、増設親機モニタ３０を駆動させて出画可能な状態に制御することができる。また、増設親機制御部３４は、増設親機スロット振分回路３１の動作タイミング、第１、第２の各増設親機メモリ３２、３３の保存／読出の動作タイミング、第１の増設親機メモリ３２の増設親機フレーム組立回路３２ａの動作タイミングをそれぞれ指示することができる。
【００４４】
親機側増設親機Ｉ／Ｆ３５は、親機／増設親機ラインＬ2から増設親機スロット振分回路３１及び増設側増設親機Ｉ／Ｆ３６への信号伝送路をそれぞれ形成するためのものである。また、増設側増設親機Ｉ／Ｆ３６は、親機側増設親機Ｉ／Ｆ３５から他の増設親機（図示せず。）が接続される当該増設ラインへの信号伝送路を形成するためのものである。
【００４５】
このように構成された本発明の実施例によるテレビドアホン装置において、以下、具体的な動作について、図１のシステム説明図、図２、図３（ａ）、（ｂ）の各ブロック図、及び図４（ａ）、（ｂ）、（ｃ）、（ｄ）、（ｅ）、（ｆ）、（ｇ）、（ｈ）の各スロット構成図をそれぞれ参照して説明する。なお、図４（ａ）、（ｂ）、（ｃ）、（ｄ）、（ｅ）、（ｆ）、（ｇ）、（ｈ）はそれぞれ、本発明の実施例における映像信号の信号処理及び信号伝送の一例を示す図である。
【００４６】
図１に示す第１乃至第６の各子機１ａ、１ｂ、１ｃ、１ｄ、１ｅ、１ｆのうち、例えば、第１の子機／親機ラインＬ1ａに接続されている第１乃至第４の各子機１ａ、１ｂ、１ｃ、１ｄが有する映像撮像機能及び映像処理機能がそれぞれ能動になるように、図２に示す子機制御回路１６が動作すると、この子機制御回路１６の指示に基づく動作タイミングで、例えば、来訪者や玄関の周囲近傍の映像がカメラ１０にて撮像開始される。
【００４７】
第１乃至第４の各子機１ａ、１ｂ、１ｃ、１ｄのカメラ１０にてそれぞれ撮像された映像であり電気信号に信号処理された例えば、フレーム速度が３０ｆｐｓ（frame par second）の各フレームの映像信号Ｓ1a、Ｓ1b、Ｓ1c、Ｓ1dは、子機制御回路１６の指示に基づくタイミングで動作する映像切替制御回路１４の制御により、映像処理回路１１を経由して例えば、フレーム速度が７．５ｆｐｓに間引きされた後、ＪＰＥＧ（Joint Photographic Experts Group）圧縮され、１フレーム毎８個のスロットに分割され、分割された当該映像信号の両端に開始信号及び終了信号がそれぞれ付加された映像信号Ｓ2a、Ｓ2b、Ｓ2c、Ｓ2dとして、子機メモリ１２に一時的に保存される。
【００４８】
この後、第１乃至第４の各子機１ａ、１ｂ、１ｃ、１ｄの子機制御回路１６の指示に基づくタイミングで動作するスロット制御回路１５によって制御されるタイムスロット選定回路１３はそれぞれ、子機メモリ１２から読み出した映像信号Ｓ2a、Ｓ2b、Ｓ2c、Ｓ2dを、第１の子機／親機ラインＬ1aの線路上のタイムスロットに組み込み送出するにあたり、ここでは、図４（ａ）に示すように、第１の子機／親機ラインＬ1a（及び親機／増設親機ラインＬ2）が有する３２個のタイムスロットＴＳ0〜ＴＳ31のうち、例えば、４個ずつ分割されたタイムスロットＴＳ0〜ＴＳ3、ＴＳ4〜ＴＳ7、ＴＳ8〜ＴＳ11、ＴＳ12〜ＴＳ15、ＴＳ16〜ＴＳ19、ＴＳ20〜ＴＳ23、ＴＳ24〜ＴＳ27、ＴＳ28〜ＴＳ31の所定のタイムロットに組み込むことができる。
【００４９】
具体的な組み込みの動作として、図２に示す第１の子機１ａのタイムスロット選定回路１３は、子機メモリ１２から読み出した映像信号Ｓ2aを、例えば、４個ずつ分割されたタイムスロットＴＳ0〜ＴＳ3、ＴＳ4〜ＴＳ7、ＴＳ8〜ＴＳ11、ＴＳ12〜ＴＳ15、ＴＳ16〜ＴＳ19、ＴＳ20〜ＴＳ23、ＴＳ24〜ＴＳ27、ＴＳ28〜ＴＳ31の先頭の組の当該タイムスロットである８個のタイムスロットＴＳ0、ＴＳ4、ＴＳ8、ＴＳ12、ＴＳ16、ＴＳ20、ＴＳ24、ＴＳ28にそれぞれ組み込んだ後、子機Ｉ／Ｆ１７、第１の子機／親機ラインＬ1a、第２の子機１ｂの子機Ｉ／Ｆ１７、第１の子機／親機ラインＬ1a、第３の子機１ｃの子機Ｉ／Ｆ１７、第１の子機／親機ラインＬ1a、第４の子機１ｄの子機Ｉ／Ｆ１７、第１の子機／親機ラインＬ1a、図３（ａ）に示す親機２の子機側親機Ｉ／Ｆ２５を経由して親機スロット振分回路２１と、前述の子機側親機Ｉ／Ｆ２５を介し増設側親機Ｉ／Ｆ２６、親機／増設親機ラインＬ2、図３（ｂ）に示す増設親機３の親機側増設親機Ｉ／Ｆ３５を経由して増設親機スロット振分回路３１（及び増設側増設親機Ｉ／Ｆ３６）とに送出する。
【００５０】
また、図２に示す第２の子機１ｂのタイムスロット選定回路１３は、子機メモリ１２から読み出した映像信号Ｓ2bを、例えば、４個ずつ分割されたタイムスロットＴＳ0〜ＴＳ3、ＴＳ4〜ＴＳ7、ＴＳ8〜ＴＳ11、ＴＳ12〜ＴＳ15、ＴＳ16〜ＴＳ19、ＴＳ20〜ＴＳ23、ＴＳ24〜ＴＳ27、ＴＳ28〜ＴＳ31の先頭から２番目の組の当該タイムスロットである８個のタイムスロットＴＳ1、ＴＳ5、ＴＳ9、ＴＳ13、ＴＳ17、ＴＳ21、ＴＳ25、ＴＳ29にそれぞれ組み込んだ後、子機Ｉ／Ｆ１７、第１の子機／親機ラインＬ1a、第３の子機１ｃの子機Ｉ／Ｆ１７、第１の子機／親機ラインＬ1a、第４の子機１ｄの子機Ｉ／Ｆ１７、第１の子機／親機ラインＬ1a、図３（ａ）に示す親機２の子機側親機Ｉ／Ｆ２５を経由して親機スロット振分回路２１と、前述の子機側親機Ｉ／Ｆ２５を介し増設側親機Ｉ／Ｆ２６、親機／増設親機ラインＬ2、図３（ｂ）に示す増設親機３の親機側増設親機Ｉ／Ｆ３５経由して増設親機スロット振分回路３１（及び増設側増設親機Ｉ／Ｆ３６）とに送出する。
【００５１】
また、図２に示す第３の子機１ｃのタイムスロット選定回路１３は、子機メモリ１２から読み出した映像信号Ｓ2cを、例えば、４個ずつ分割されたタイムスロットＴＳ0〜ＴＳ3、ＴＳ4〜ＴＳ7、ＴＳ8〜ＴＳ11、ＴＳ12〜ＴＳ15、ＴＳ16〜ＴＳ19、ＴＳ20〜ＴＳ23、ＴＳ24〜ＴＳ27、ＴＳ28〜ＴＳ31の先頭から３番目の組の当該タイムスロットである８個タイムスロットＴＳ2、ＴＳ6、ＴＳ10、ＴＳ14、ＴＳ18、ＴＳ22、ＴＳ26、ＴＳ30にそれぞれ組み込んだ後、子機Ｉ／Ｆ１７、第１の子機／親機ラインＬ1a、第４の子機１ｄの子機Ｉ／Ｆ１７、第１の子機／親機ラインＬ1a、図３（ａ）に示す親機２の子機側親機Ｉ／Ｆ２５を経由して親機スロット振分回路２１と、前述の子機側親機Ｉ／Ｆ２５を介し増設側親機Ｉ／Ｆ２６、親機／増設親機ラインＬ2、図３（ｂ）に示す増設親機３の親機側増設親機Ｉ／Ｆ３５を経由して増設親機スロット振分回路３１（及び増設側増設親機Ｉ／Ｆ３６）とに送出する。
【００５２】
さらに、図２に示す第４の子機１ｄのタイムスロット選定回路１３は、子機メモリ１２から読み出した映像信号Ｓ2dを、例えば、４個ずつ分割されたタイムスロットＴＳ0〜ＴＳ3、ＴＳ4〜ＴＳ7、ＴＳ8〜ＴＳ11、ＴＳ12〜ＴＳ15、ＴＳ16〜ＴＳ19、ＴＳ20〜ＴＳ23、ＴＳ24〜ＴＳ27、ＴＳ28〜ＴＳ31の先頭から４番目の組の当該タイムスロットであるタイムスロットＴＳ3、ＴＳ7、ＴＳ11、ＴＳ15、ＴＳ19、ＴＳ23、ＴＳ27、ＴＳ31にそれぞれ組み込んだ後、子機Ｉ／Ｆ１７、第１の子機／親機ラインＬ1a、図３（ａ）に示す親機２の子機側親機Ｉ／Ｆ２５を経由して親機スロット振分回路２１と、前述の子機側親機Ｉ／Ｆ２５を介し増設側親機Ｉ／Ｆ２６、親機／増設親機ラインＬ2、図３（ｂ）に示す増設親機３の親機側増設親機Ｉ／Ｆ３５を経由して増設親機スロット振分回路３１（及び増設側増設親機Ｉ／Ｆ３６）とに送出する。
【００５３】
次に、図３（ａ）に示す親機２の親機スロット振分回路２１及び図３（ｂ）に示す増設親機３の増設親機スロット振分回路３１のうち、親機スロット振分回路２１は、子機側親機Ｉ／Ｆ２５を経由して受信した複数の映像信号Ｓ2a、Ｓ2b、Ｓ2c、Ｓ2dをそれぞれ、３２個のタイムスロットＴＳ0〜ＴＳ31に振り分けて第１の親機メモリ２２に一時的に同時保存することができる。一方、増設親機スロット振分回路３１は、親機側増設親機Ｉ／Ｆ３５を経由して受信した複数の映像信号Ｓ2a、Ｓ2b、Ｓ2c、Ｓ2dをそれぞれ、３２個のタイムスロットＴＳ0〜ＴＳ31に振り分けて第１の増設親機メモリ３２に一時的に同時保存することができる。
【００５４】
この後、図３（ａ）に示す親機２において、親機制御部２４の指示に基づくタイミングで動作する第１の親機メモリ２２の親機フレーム組立回路２２ａは、当該第１の親機メモリに（一時的に）同時保存された３２個のタイムスロットＴＳ0〜ＴＳ31の先頭の組の当該タイムスロットである８個のタイムスロットＴＳ0、ＴＳ4、ＴＳ8、ＴＳ12、ＴＳ16、ＴＳ20、ＴＳ24、ＴＳ28にそれぞれ組み込まれた映像信号Ｓ2aのうち、開始信号から終了信号までの間のタイムスロットに組み込まれている映像信号Ｓ2aについてＪＰＥＧ解凍した当該映像信号を、第１の子機１ａのカメラ１０にて撮像された映像の図４（ｂ）に示す１フレームの映像信号Ｓ3aとして、また、先頭から２番目の組の当該タイムスロットである８個のタイムスロットＴＳ1、ＴＳ5、ＴＳ9、ＴＳ13、ＴＳ17、ＴＳ21、ＴＳ25、ＴＳ29にそれぞれ組み込まれた映像信号Ｓ2bのうち、開始信号から終了信号までの間のタイムスロットに組み込まれている映像信号Ｓ2bについてＪＰＥＧ解凍した当該映像信号を、第２の子機１ｂのカメラ１０にて撮像された映像の図４（ｃ）に示す１フレームの映像信号Ｓ3bとして、また、先頭から３番目の組の当該タイムスロットである８個のタイムスロットＴＳ2、ＴＳ6、ＴＳ10、ＴＳ14、ＴＳ18、ＴＳ22、ＴＳ26、ＴＳ30にそれぞれ組み込まれた映像信号Ｓ2cのうち、開始信号から終了信号までの間のタイムスロットに組み込まれている映像信号Ｓ2cについてＪＰＥＧ解凍した当該映像信号を、第３の子機１ｃのカメラ１０にて撮像された映像の図４（ｄ）に示す１フレームの映像信号Ｓ3cとして、さらに、先頭から４番目の組の当該タイムスロットである８個のタイムスロットＴＳ3、ＴＳ7、ＴＳ11、ＴＳ15、ＴＳ19、ＴＳ23、ＴＳ27、ＴＳ31にそれぞれ組み込まれた映像信号Ｓ2dのうち、開始信号から終了信号までの間のタイムスロットに組み込まれている映像信号Ｓ2dについてＪＰＥＧ解凍した当該映像信号を、第４の子機１ｄのカメラ１０にて撮像された映像の図４（ｅ）に示す１フレームの映像信号Ｓ3dとして、第２の親機メモリ２３に同時保存することができる。また、第２の親機メモリ２３に同時保存された１フレーム毎の複数の映像信号Ｓ3a、Ｓ3b、Ｓ3c、Ｓ3dはそれぞれ、リアルタイムの映像として親機モニタ２０に出画させることができる。
【００５５】
なお、図３（ａ）に示す親機２の第２の親機メモリ２３に同時保存された複数の映像信号Ｓ3a、Ｓ3b、Ｓ3c、Ｓ3dはそれぞれ、親機制御部２４の指示に基づく動作タイミングで読み出され、親機モニタ２０に出画させることができる。
【００５６】
一方、図３（ｂ）に示す増設親機３において、増設親機制御部３４の指示に基づくタイミングで動作する第１の増設親機メモリ３２の増設親機フレーム組立回路３２ａは、当該第１の増設親機メモリに（一時的に）同時保存された３２個のタイムスロットＴＳ0〜ＴＳ31の先頭の組の当該タイムスロットである８個のタイムスロットＴＳ0、ＴＳ4、ＴＳ8、ＴＳ12、ＴＳ16、ＴＳ20、ＴＳ24、ＴＳ28にそれぞれ組み込まれた映像信号Ｓ2aのうち、開始信号から終了信号までの間のタイムスロットに組み込まれている映像信号Ｓ2aについてＪＰＥＧ解凍した当該映像信号を、第１の子機１ａのカメラ１０にて撮像された映像の図４（ｂ）に示す１フレームの映像信号Ｓ3aとして、また、先頭から２番目の組の当該タイムスロットである８個のタイムスロットＴＳ1、ＴＳ5、ＴＳ9、ＴＳ13、ＴＳ17、ＴＳ21、ＴＳ25、ＴＳ29にそれぞれ組み込まれた映像信号Ｓ2bのうち、開始信号から終了信号までの間のタイムスロットに組み込まれている映像信号Ｓ2bについてＪＰＥＧ解凍した当該映像信号を、第２の子機１ｂのカメラ１０にて撮像された映像の図４（ｃ）に示す１フレームの映像信号Ｓ3bとして、また、先頭から３番目の組の当該タイムスロットである８個のタイムスロットＴＳ2、ＴＳ6、ＴＳ10、ＴＳ14、ＴＳ18、ＴＳ22、ＴＳ26、ＴＳ30にそれぞれ組み込まれた映像信号Ｓ2cのうち、開始信号から終了信号までの間のタイムスロットに組み込まれている映像信号Ｓ2cについてＪＰＥＧ解凍した当該映像信号を、第３の子機１ｃのカメラ１０にて撮像された映像の図４（ｄ）に示す１フレームの映像信号Ｓ3cとして、さらに、先頭から４番目の組の当該タイムスロットである８個のタイムスロットＴＳ3、ＴＳ7、ＴＳ11、ＴＳ15、ＴＳ19、ＴＳ23、ＴＳ27、ＴＳ31にそれぞれ組み込まれた映像信号Ｓ2dのうち、開始信号から終了信号までの間のタイムスロットに組み込まれている映像信号Ｓ2dについてＪＰＥＧ解凍した当該映像信号を、第４の子機１ｄのカメラ１０にて撮像された映像の図４（ｅ）に示す１フレームの映像信号Ｓ3dとして、第２の増設親機メモリ３３に同時保存することができる。また、第２の増設親機メモリ３３に同時保存された１フレーム毎の複数の映像信号Ｓ3a、Ｓ3b、Ｓ3c、Ｓ3dはそれぞれ、リアルタイムの映像として増設親機モニタ３０に出画させることができる。
【００５７】
なお、図３（ｂ）に示す増設親機３の第２の増設親機メモリ３３に保存された複数の映像信号Ｓ3a、Ｓ3b、Ｓ3c、Ｓ3dはそれぞれ、増設親機制御部３４の指示に基づく動作タイミングで読み出され、増設親機モニタ３０に出画させることができる。
【００５８】
次に、前述までの説明においては、図１に示す第１乃至第６の各子機１ａ、１ｂ、１ｃ、１ｄ、１ｅ、１ｆのうち、３２個のタイムスロットＴＳ0〜ＴＳ31を有する第１の子機／親機ラインＬ1aに接続されている第１乃至第４の各子機１ａ、１ｂ、１ｃ、１ｄのカメラ１０にてそれぞれ撮像された映像を、少なくとも１台の当該親機である親機２が有する第２の親機メモリ２３及び増設親機３が有する第２の増設親機メモリ３３に同時保存する動作について説明したが、この動作に限定されるものではない。
【００５９】
例えば、第２の子機／親機ラインＬ1bに接続されている第５、第６の各子機１ｅ、１ｆが有する映像撮像機能及び映像処理機能がそれぞれ能動になるように、図２に示す子機制御回路１６が動作すると、この子機制御回路１６の指示に基づく動作タイミングで、例えば、来訪者や玄関の周囲近傍の映像がカメラ１０にて撮像開始される。
【００６０】
第５、第６の各子機１ｅ、１ｆのカメラ１０にてそれぞれ撮像された映像であり電気信号に信号処理された例えば、フレーム速度が３０ｆｐｓの各フレームの映像信号Ｓ1e、Ｓ1fは、子機制御回路１６の指示に基づくタイミングで動作する映像切替制御回路１４の制御により、映像処理回路１１を経由して例えば、フレーム速度が１５ｆｐｓに間引きされた後、ＪＰＥＧ圧縮され、１フレーム毎８個のスロットに分割され、分割された当該映像信号の両端に開始信号及び終了信号がそれぞれ付加された映像信号Ｓ2e、Ｓ2fとして、子機メモリ１２に一時的に保存される。
【００６１】
この後、第５、第６の各子機１ｅ、１ｆの子機制御回路１６の指示に基づくタイミングで動作するスロット制御回路１５によって制御されるタイムスロット選定回路１３はそれぞれ、子機メモリ１２から読み出した映像信号Ｓ2e、Ｓ2fを、第２の子機／親機ラインＬ1bの線路上のタイムスロットに組み込み送出するにあたり、ここでは、図４（ｆ）に示すように、第１の子機／親機ラインＬ1b（及び親機／増設親機ラインＬ2）が有する３２個のタイムスロットＴＳ0〜ＴＳ31のうち、例えば、２個ずつ分割された一方の組又は他方の組の当該の所定のタイムロットに組み込むことができる。
【００６２】
具体的な組み込みの動作として、図２に示す第５の子機１ｅのタイムスロット選定回路１３は、子機メモリ１２から読み出した映像信号Ｓ2eを、例えば、２個ずつ分割された一方の組の当該タイムスロットである１フレーム目及び２フレーム目に該当する１６個のタイムスロットＴＳ0、ＴＳ2、ＴＳ4、ＴＳ6、ＴＳ8、ＴＳ10、ＴＳ12、ＴＳ14、ＴＳ16、ＴＳ18、ＴＳ20、ＴＳ22、ＴＳ24、ＴＳ26、ＴＳ28、ＴＳ30にそれぞれ組み込んだ後、子機Ｉ／Ｆ１７、第２の子機／親機ラインＬ1b、第６の子機１ｆの子機Ｉ／Ｆ１７、第２の子機／親機ラインＬ1b、図３（ａ）に示す親機２の子機側親機Ｉ／Ｆ２５を経由して親機スロット振分回路２１と、前述の子機側親機Ｉ／Ｆ２５を介し増設側親機Ｉ／Ｆ２６、親機／増設親機ラインＬ2、図３（ｂ）に示す増設親機３の親機側増設親機Ｉ／Ｆ３５を経由して増設親機スロット振分回路３１（及び増設側増設親機Ｉ／Ｆ３６）とに送出する。
【００６３】
また、図２に示す第６の子機１ｆのタイムスロット選定回路１３は、子機メモリ１２から読み出した映像信号Ｓ2fを、例えば、２個ずつ分割された他方の組の当該タイムスロットである１フレーム目及び２フレーム目に該当する１６個のタイムスロットＴＳ1、ＴＳ3、ＴＳ5、ＴＳ7、ＴＳ9、ＴＳ11、ＴＳ13、ＴＳ15、ＴＳ17、ＴＳ19、ＴＳ21、ＴＳ23、ＴＳ25、ＴＳ27、ＴＳ29、ＴＳ31にそれぞれ組み込んだ後、子機Ｉ／Ｆ１７、第２の子機／親機ラインＬ1b、図３（ａ）に示す親機２の子機側親機Ｉ／Ｆ２５を経由して親機スロット振分回路２１と、前述の子機側親機Ｉ／Ｆ２５を介し増設側親機Ｉ／Ｆ２６、親機／増設親機ラインＬ2、図３（ｂ）に示す増設親機３の親機側増設親機Ｉ／Ｆ３５経由して増設親機スロット振分回路３１（及び増設側増設親機Ｉ／Ｆ３６）とに送出する。
【００６４】
次に、図３（ａ）に示す親機２の親機スロット振分回路２１及び図３（ｂ）に示す増設親機３の増設親機スロット振分回路３１のうち、親機スロット振分回路２１は、子機側親機Ｉ／Ｆ２５を経由して受信した複数（２つ）の映像信号Ｓ2e、Ｓ2fをそれぞれ、３２個のタイムスロットＴＳ0〜ＴＳ31に振り分けて第１の親機メモリ２２に一時的に同時保存することができる。一方、増設親機スロット振分回路３１は、親機側増設親機Ｉ／Ｆ３５を経由して受信した複数（２つ）の映像信号Ｓ2e、Ｓ2fをそれぞれ、３２個のタイムスロットＴＳ0〜ＴＳ31に振り分けて第１の増設親機メモリ３２に一時的に同時保存することができる。
【００６５】
この後、図３（ａ）に示す親機２において、親機制御部２４の指示に基づくタイミングで動作する第１の親機メモリ２２の親機フレーム組立回路２２ａは、当該第１の親機メモリに（一時的に）同時保存された３２個のタイムスロットＴＳ0〜ＴＳ31の一方の組の当該タイムスロットである１フレーム目及び２フレーム目に該当する１６個のタイムスロットＴＳ0、ＴＳ2、ＴＳ4、ＴＳ6、ＴＳ8、ＴＳ10、ＴＳ12、ＴＳ14、ＴＳ16、ＴＳ18、ＴＳ20、ＴＳ22、ＴＳ24、ＴＳ26、ＴＳ28、ＴＳ30にそれぞれ組み込まれた映像信号Ｓ2eのうち、開始信号から終了信号までの間のタイムスロットに組み込まれている映像信号Ｓ2eについてＪＰＥＧ解凍した当該映像信号を、第５の子機１ｅのカメラ１０にて撮像された映像の図４（ｇ）に示す１フレーム目及び２フレーム目の映像信号Ｓ3eとして、また、他方の組の当該タイムスロットである１フレーム目及び２フレーム目に該当する１６個のタイムスロットＴＳ1、ＴＳ3、ＴＳ5、ＴＳ7、ＴＳ9、ＴＳ11、ＴＳ13、ＴＳ15、ＴＳ17、ＴＳ19、ＴＳ21、ＴＳ23、ＴＳ25、ＴＳ27、ＴＳ29、ＴＳ31にそれぞれ組み込まれた映像信号Ｓ2fのうち、開始信号から終了信号までの間のタイムスロットに組み込まれている映像信号Ｓ2fについてＪＰＥＧ解凍した当該映像信号を、第６の子機１ｆのカメラ１０にて撮像された映像の図４（ｈ）に示す１フレーム目及び２フレーム目の映像信号Ｓ3fとして、第２の親機メモリ２３に同時保存することができる。また、第２の親機メモリ２３に同時保存された１フレーム毎の複数（２つ）の映像信号Ｓ3e、Ｓ3fはそれぞれ、リアルタイムの映像として親機モニタ２０に出画させることができる。
【００６６】
なお、図３（ａ）に示す親機２の第２の親機メモリ２３に同時保存された複数（２つ）の映像信号Ｓ3e、Ｓ3fはそれぞれ、親機制御部２４の指示に基づく動作タイミングで読み出され、親機モニタ２０に出画させることができる。
【００６７】
一方、図３（ｂ）に示す増設親機３において、増設親機制御部３４の指示に基づくタイミングで動作する第１の増設親機メモリ３２の増設親機フレーム組立回路３２ａは、当該第１の増設親機メモリに（一時的に）同時保存された３２個のタイムスロットＴＳ0〜ＴＳ31の一方の組の当該タイムスロットである１フレーム目及び２フレーム目に該当する１６個のタイムスロットＴＳ0、ＴＳ2、ＴＳ4、ＴＳ6、ＴＳ8、ＴＳ10、ＴＳ12、ＴＳ14、ＴＳ16、ＴＳ18、ＴＳ20、ＴＳ22、ＴＳ24、ＴＳ26、ＴＳ28、ＴＳ30にそれぞれ組み込まれた映像信号Ｓ2fのうち、開始信号から終了信号までの間のタイムスロットに組み込まれている映像信号Ｓ2fについてＪＰＥＧ解凍した当該映像信号を、第５の子機１ｅのカメラ１０にて撮像された映像の図４（ｇ）に示す１フレーム目及び２フレーム目の映像信号Ｓ3eとして、また、他方の組の当該タイムスロットである１フレーム目及び２フレーム目に該当する１６個のタイムスロットＴＳ1、ＴＳ3、ＴＳ5、ＴＳ7、ＴＳ9、ＴＳ11、ＴＳ13、ＴＳ15、ＴＳ17、ＴＳ19、ＴＳ21、ＴＳ23、ＴＳ25、ＴＳ27、ＴＳ29、ＴＳ31にそれぞれ組み込まれた映像信号Ｓ2fのうち、開始信号から終了信号までの間のタイムスロットに組み込まれている映像信号Ｓ2fについてＪＰＥＧ解凍した当該映像信号を、第６の子機１ｆのカメラ１０にて撮像された映像の図４（ｈ）に示す１フレーム目及び２フレーム目の映像信号Ｓ3fとして、第２の増設親機メモリ３３に同時保存することができる。また、第２の増設親機メモリ３３に同時保存された１フレーム毎の複数（２つ）の映像信号Ｓ3e、Ｓ3fはそれぞれ、リアルタイムの映像として増設親機モニタ３０に出画させることができる。
【００６８】
なお、図３（ｂ）に示す増設親機３の第２の増設親機メモリ３３に保存された複数（２つ）の映像信号Ｓ3e、Ｓ3fはそれぞれ、増設親機制御部３４の指示に基づく動作タイミングで読み出され、増設親機モニタ３０に出画させることができる。
【００６９】
また、前述までの実施例においては、図４（ａ）、（ｆ）に示す３２個のタイムスロットＴＳ0〜ＴＳ31を有する第１、第２の各子機／親機ラインＬ1a、Ｌ1bに接続されている第１乃至第６の各子機１ａ、１ｂ、１ｃ、１ｄ、１ｅ、１ｆのカメラ１０にてそれぞれ撮像された映像を、少なくとも１台の当該親機である親機２が有する第２の親機メモリ２３及び増設親機３が有する第２の増設親機メモリ３３に同時保存するにあたり、フレーム速度が３０ｆｐｓの映像信号Ｓ1a、Ｓ1b、Ｓ1c、Ｓ1dのフレームレートを切り替えて７．５ｆｐｓの映像信号Ｓ2a、Ｓ2b、Ｓ2c、Ｓ2dに間引き処理し、その後、ＪＰＥＧ圧縮等の信号処理を行う、或いは、フレーム速度が３０ｆｐｓの映像信号Ｓ1e、Ｓ1fのフレームレートを切り替えて１５ｆｐｓの映像信号Ｓ2e、Ｓ2fに間引き処理し、その後、ＪＰＥＧ圧縮等の信号処理を行ったが、これらの態様に限定されるものではない。例えば、フレーム速度が３０ｆｐｓの映像信号Ｓ1a、Ｓ1b、Ｓ1c、Ｓ1d、Ｓ1e、Ｓ1fのフレームレートを切り替えて１ｆｐｓの当該映像信号に間引き処理し、その後、ＪＰＥＧ圧縮等の信号処理を行うことにより、第１、第２の各子機／親機ラインＬ1a、Ｌ1bにそれぞれ接続可能な子機の台数は３０台となり、伝送路である各子機／親機ラインＬ1a、Ｌ1bの配線数を増さずとも当該子機の増設が容易であるため、配線の省線化及び親機２の小型化が可能となる。
【００７０】
さらに、前述までの実施例において、第１乃至第６の各子機１ａ、１ｂ、１ｃ、１ｄ、１ｅ、１ｆのカメラ１０にてそれぞれ撮像された映像であり、ＪＰＥＧ解凍された複数の映像信号Ｓ3a、Ｓ3b、Ｓ3c、Ｓ3d、Ｓ3e、Ｓ3fは、親機２の親機制御部２４及び増設親機３の増設親機制御部３４の指示に基づく動作タイミングで、親機モニタ２０及び増設親機モニタ３０に出画させていたが、この動作タイミングに限定されるものではない。例えば、第１乃至第６の各子機１ａ、１ｂ、１ｃ、１ｄ、１ｅ、１ｆのカメラ１０にてそれぞれ撮像された映像である複数の映像信号Ｓ1a、Ｓ1b、Ｓ1c、Ｓ1d、Ｓ1e、Ｓ1fが完成（生成）されるのと同時のタイミングで親機モニタ２０及び増設親機モニタ３０に出画させることができる。このタイミングによれば、親機２の親機制御部２４及び増設親機３の増設親機制御部３４において、当該映像信号のフレームレート処理を意識する必要性がない。
【００７１】
なお、前述までの実施例においては、第１、第２の各子機／親機ラインＬ1a、Ｌ1bが有するタイムスロットのスロット数として、（映像信号の）１フレーム毎８個のスロットに分割される３２個のタイムスロットを有する当該ラインを、その一例として説明したが、、図４（ａ）、（ｆ）にそれぞれ示すように、時間の経過ととともにスロット数は増加するものである。また、第１、第２の各子機／親機ラインＬ1a、Ｌ1bが有する３２個のタイムスロットＴＳ0〜ＴＳ31のうち分割する１フレーム毎の当該タイムスロットのサイズは、８個としたが、このサイズに限定されるものではなく、任意にサイズ変更することもできる。
【００７２】
本発明のテレビドアホン装置においては、特定の実施の形態をもって説明してきたが、この形態に限定されるものでなく、本発明の効果を奏する限り、これまで知られた如何なる構成のテレビドアホン装置、例えば、１台の親機２及び１台の増設親機３のみならず、より複数台の当該増設親機を有するテレビドアホン装置であっても採用できるということはいうまでもないことである。
【図面の簡単な説明】
【００７３】
【図１】図１は、本発明の実施例によるテレビドアホン装置の全体構成を示すシステム説明図である。
【図２】図２は、本発明の実施例によるテレビドアホン装置において、少なくとも１台の子機の具体的な構成を示すブロック図である。
【図３】図３（ａ）、（ｂ）はそれぞれ、本発明の実施例によるテレビドアホン装置において、少なくとも１台の親機である親機及び増設親機の具体的な構成を示すブロック図である。
【図４】図４（ａ）、（ｂ）、（ｃ）、（ｄ）、（ｅ）、（ｆ）、（ｇ）、（ｈ）はそれぞれ、本発明の実施例によるテレビドアホン装置において適用される映像信号の信号処理及び信号伝送の一例を示すスロット構成図である。
【図５】図５は、従来例のテレビドアホン装置の具体的な構成を示すブロック図である。
【符号の説明】
【００７４】
１ａ、１ｂ、１ｃ、１ｄ、１ｅ、１ｆ…第１乃至第６の子機（少なくとも１台の子機）
１０……カメラ
１１……映像処理回路
１３……タイムスロット選定回路
１４……映像切替制御回路（子機制御部）
１５……スロット切替制御回路（子機制御部）
１６……子機制御回路（子機制御部）
２……親機（少なくとも１台の親機）
２０……親機モニタ（モニタ）
２１……親機スロット振分回路（スロット振分回路）
２２……第１の親機メモリ（第１のメモリ）
２２ａ……親機フレーム組立回路（フレーム組立回路）
２３……第２の親機メモリ（第２のメモリ）
２４……親機制御部
３……増設親機（少なくとも１台の親機）
３０……増設親機モニタ（モニタ）
３１……増設親機スロット振分回路（スロット振分回路）
３２……第１の増設親機メモリ（第１のメモリ）
３２ａ……増設親機フレーム組立回路（フレーム組立回路）
３３……第２の増設親機メモリ（第２のメモリ）
３４……増設親機制御部
Ｌ1a、Ｌ1b……第１、第２の各子機／親機ライン（伝送路）
Ｌ2……親機／増設親機ライン（伝送路）
【図１】
2008147848.tif 000003
【図２】
2008147848.tif 000004
【図３】
2008147848.tif 000005
【図４】
2008147848.tif 000006
【図５】
2008147848.tif 000007